(57)【特許請求の範囲】
【請求項１】
基盤から突出して設けられる第１口金と、
前記基盤に前記第１口金と並んで突出して設けられる第２口金と、
前記第１口金と嵌合する第１貫通孔と、前記第２口金と遊嵌する第２貫通孔とを有し、前記基盤を覆う外装部材と、
前記第１口金と係合して、前記基盤又は前記第１口金との間に前記外装部材を挟んで固定する第１固定部材と、
前記第２口金と係合して、前記基盤又は前記第２口金との間に前記外装部材を挟んで固定する第２固定部材と、
を備える内視鏡。
【請求項２】
前記第２固定部材は、前記第２貫通孔と前記第２口金の間に介在され、前記第２口金と嵌合する穴部を有する請求項１に記載の内視鏡。
【請求項３】
前記第１口金は、前記第１貫通孔と当接する第１当接部を有し、当該第１当接部は、前記第１貫通孔の直径と略同じ直径を有する請求項１に記載の内視鏡。
【請求項４】
前記第２口金は、前記穴部と当接する第２当接部を有し、当該第２当接部は、前記穴部の直径と略同じ直径を有する請求項２に記載の内視鏡。
【請求項５】
前記外装部材中の前記第１貫通孔の周囲に位置する部分は、前記第１口金と前記第１固定部材との間に挟まれて位置が保持され、
前記外装部材中の前記第２貫通孔の周囲に位置する部分は、前記第２口金と前記第２固定部材との間に挟まれて位置が保持される請求項４に記載の内視鏡。
【請求項６】
前記第１口金は、前記第２口金と同じ形状を有する請求項５に記載の内視鏡。
【請求項７】
前記基盤は、前記第１口金と連通され流体を流すための第１流路及び、前記第２口金と連通され流体を流すための第２流路を有する請求項１に記載の内視鏡。
【発明の詳細な説明】
【技術分野】
【０００１】
本発明は、観察対象の孔内を観察できる内視鏡に関する。
【背景技術】
【０００２】
外装ケースから突出した複数の口金部材を有し、当該複数の口金部材によってコネクタを構成した内視鏡装置が開示されている。この内視鏡装置において、口金部材は、外装ケースとは異なる口金固定板に対して固定されている。口金固定板は、口金固定板からみて、外装ケースとは反対側にある第２シャーシ部材に固定されている。
【先行技術文献】
【特許文献】
【０００３】
【特許文献１】特開２００１−６１７７８号公報
【発明の概要】
【発明が解決しようとする課題】
【０００４】
上記の内視鏡では、口金部材は、口金固定板に対して位置決めされているが、外装ケースに対しては位置決めがなされていない。このため、外装ケースに対する口金部材の位置決め・固定方法には改良の余地があった。
【０００５】
本発明の目的は、組立時の作業性が良好な内視鏡を提供することにある。
【課題を解決するための手段】
【０００６】
前記目的を達成するため、内視鏡は、基盤から突出して設けられる第１口金と、前記基盤に前記第１口金と並んで突出して設けられる第２口金と、前記第１口金と嵌合する第１貫通孔と、前記第２口金と遊嵌する第２貫通孔とを有し、前記基盤を覆う外装部材と、前記第１口金と係合して前記第１口金に対して前記外装部材を固定する第１固定部材と、前記第２口金と係合して前記第２口金に対して前記外装部材を固定する第２固定部材と、を備える。
【発明の効果】
【０００７】
上記の構成によれば、組立時の作業性が良好な内視鏡を提供できる。
【図面の簡単な説明】
【０００８】
【図１】第１実施形態の内視鏡装置の全体構成を示した模式図。
【図２】図１に示す内視鏡装置の先端硬質部を端面側から示した正面図。
【図３】図１に示すユニバーサルコードの制御装置側の端部を拡大した断面図。
【図４】図３に示すＦ４部分（第１コネクタ部の周囲）を拡大して示す断面図。
【図５】図４に示す第１コネクタ部と、第１コネクタ部と接続する第２コネクタ部と、を示した断面図。
【発明を実施するための形態】
【０００９】
図１から図５を参照して、内視鏡装置の実施形態について説明する。図１に示すように、内視鏡装置１１は、内視鏡１２と、画像処理を含む制御を行う制御装置１３と、光源装置１４と、送気・吸引装置１５と、内部に水を貯留するタンク１６と、キーボード１７と、モニタ１８と、後述する第１コネクタ部３２に接続する第２コネクタ部３３（図５参照）と、タンク１６と第２コネクタ部３３とを接続するチューブ３６と、を有する。
【００１０】
図１、図２に示すように、光源装置１４は、制御装置１３の制御下で、内視鏡１２の後述する先端硬質部２１にある照明レンズ２２に光を供給する。制御装置１３の画像処理部は、内視鏡１２の先端硬質部２１の対物レンズユニット２４を通して撮影された被検体の画像を画像処理してモニタ１８に表示する。図５に示すように、第２コネクタ部３３は、第１コネクタ部３２の後述する第１プラグ５４を受容可能な第１接続孔３４と、第２プラグ５５を受容可能な第２接続孔３５と、を有している。第１接続孔３４は、チューブ３６の送水チューブ２９を介してタンク１６内で液体（水）を貯留している部分に接続されている。第２接続孔３５は、チューブ３６の送気チューブ２８を介してタンク１６内の空気と接触する部分に接続されている。
【００１１】
送気・吸引装置（ポンプ）１５は、後述する先端硬質部２１のノズル２３に対して空気を送ったり（送気）、水を送ったり（送水）できる。本実施形態では、送気・吸引装置１５は、送気・送水の制御を行わない時には、操作部２５の図示しない制御弁のリーク孔と連通された状態で保持される。そのため、送気・吸引装置１５の圧力は当該リーク孔より外部に逃げている。
【００１２】
ここで、送気を行うように制御弁の操作ボタンを操作すると、リーク孔が塞がれて、送気・吸引装置１５の圧力により、ノズル２３から送気を行うことができる。また、送水を行うように制御弁の操作ボタンを操作すると、リーク孔（不図示）が塞がれて、送気・吸引装置１５の圧力が後述する第２流路７２、送気チューブ２８を順次経由してタンク１６へ伝わる。こうして、送気・吸引装置１５は、タンク１６内の水を、送水チューブ２９、後述する第１流路７１を順次経由し、ノズル２３から外部に噴出させることができる。
【００１３】
図１に示すように、内視鏡１２は、操作部２５と、操作部２５と制御装置１３とを連結するユニバーサルコード２６と、操作部２５に隣接したグリップ部２７と、グリップ部２７から延びて観察対象（被検体、装置）の孔内に挿入される挿入部３１と、ユニバーサルコード２６の基端側（制御装置側）の部分に設けられた第１コネクタ部３２と、を有する。
【００１４】
内視鏡１２は、ユニバーサルコード２６を介して制御装置１３、光源装置１４、及び送気・送水・吸引装置１５に接続されている。
【００１５】
図１において、矢印Ｄ１は挿入部３１の中心軸Ｄ（長手方向）の先端方向を示しており、矢印Ｄ２は長手方向の基端方向を示している。挿入部３１は、細長く可撓性を有する可撓管部４１と、この可撓管部４１の先端に設けられた湾曲部４２と、この湾曲部４２の先端に設けられた先端硬質部２１と、を備えている。
【００１６】
湾曲部４２の内部には、挿入部３１の長手方向Ｄに沿って並んだ円筒状の複数の湾曲駒４３が設けられている。隣接する湾曲駒４３の間に介在されたピンによって、湾曲駒４３同士は互いの設置角度を変えることができる。すなわち複数の湾曲駒４３は、湾曲部４２を湾曲させるための関節を構成する。湾曲部４２、先端硬質部２１、および可撓管部４１の外周部は、ゴム状の弾性体で構成された外皮で被覆されている。さらに湾曲駒４３の内側には、湾曲部４２をＵＰ方向及びそれとは反対のＤＯＷＮ方向に湾曲させるための一対の第１ワイヤと、湾曲部４２をＲＩＧＨＴ方向及びそれとは反対のＬＥＦＴ方向に湾曲させるための一対の第２ワイヤと、が挿通されている。一対の第１ワイヤおよび一対の第２ワイヤは、Ｄ１方向の最も先端に位置する湾曲駒４３に固定されている。一対の第１ワイヤは、操作部２５側において第１ダイヤルユニット４４の第１プーリに固定されている。同様に、一対の第２ワイヤは、操作部２５側において第２ダイヤルユニット４５の第２プーリに固定されている。湾曲駒４３、第１ワイヤおよび第２ワイヤの作用によって、湾曲部４２は、ＵＰ方向、ＤＯＷＮ方向、ＲＩＧＨＴ方向およびＬＥＦＴ方向のいずれの方向およびこれらを組み合わせた方向に湾曲することができる（図２参照）。
【００１７】
図１に示すように、操作部２５は、例えば合成樹脂材料で形成された操作部ケース４６と、操作部ケース４６から突出するとともに操作部ケース４６に対して回転可能に設けられた第１ダイヤルユニット４４と、操作部ケース４６から突出するとともに操作部ケース４６に対して回転可能に設けられた第２ダイヤルユニット４５と、操作部ケース４６に設けられたボタン部４７と、を有している。ボタン部４７は、ノズル２３を介して先端硬質部２１に送気・送水を行う第１ボタン５１（送気・送水ボタン）と、先端硬質部２１の処置具挿通チャンネル５３から吸引を行う第２ボタン５２（吸引ボタン）と、を含んでいる。送気・吸引装置（ポンプ）１５は、第２ボタン５２の操作によって処置具挿通チャンネル５３付近で吸引力を発生して周囲の液体や組織等を吸引したり、吸引力を停止したりすることができる。
【００１８】
第１ダイヤルユニット４４は、湾曲部４２をＵ方向（ＵＰ方向）またはＤ方向（ＤＯＷＮ方向）に湾曲させる際に使用される。ユーザが第１ダイヤルユニット４４のＵＤノブ４４Ａを操作すると、第１プーリが回転して一方の第１ワイヤを引っ張るとともに他方の第１ワイヤの緊張が緩められ、湾曲部４２をＵ方向またはＤ方向に湾曲させることができる。
【００１９】
第２ダイヤルユニット４５は、湾曲部４２をＲ方向（ＲＩＧＨＴ方向）またはＬ方向（ＬＥＦＴ方向）に湾曲させる際に使用される。ユーザが第２ダイヤルユニット４５のＲＬノブ４５Ａを操作すると、第２プーリが回転して一方の第２ワイヤを引っ張るとともに他方の第２ワイヤの緊張が緩められ、湾曲部４２をＲ方向またはＬ方向に湾曲させることができる。
【００２０】
図２に示すように、先端硬質部２１には、ＣＣＤ等の撮像素子を含んだ対物レンズユニット２４と、処置具挿通チャンネル５３と、照明レンズ２２と、先端硬質部２１の先端面を洗浄する水や空気を供給できるノズル２３と、が設けられている。
【００２１】
図３に示すように、第１コネクタ部３２は、隣接した２個のプラグ（第１プラグ５４および第２プラグ５５）を有しており、当該２個のプラグを用いて図５に示すように第２コネクタ部３３と接続することができる。第１コネクタ部３２は、ユニバーサルコード２６の制御装置１３と接続する側の端部に設けられる接続部２６Ａの近傍に設けられている。
【００２２】
図４に示すように、第１コネクタ部３２は、ユニバーサルコード２６の内部に位置したブロック体５６（基盤）と、ブロック体５６に固定された第１口金５７および第２口金５８と、ユニバーサルコード２６の外殻を構成した外装部材６０と、第１口金５７に固定された第１固定部材６３と、第２口金５８に固定された第２固定部材６４と、を有している。外装部材６０は、ブロック体５６を覆うように設けられたケース６２（外装ケース）と、ケース６２に接着等で固定された台座６１と、を有する。また、第１コネクタ部３２は、第１口金５７と台座６１との間に介在された第１Ｏリング６５と、第２口金５８と第２固定部材６４との間に介在された第２Ｏリング６６と、第１固定部材６３と台座６１との間に介在された第３Ｏリング６７と、第２固定部材６４と台座６１との間に介在された第４Ｏリング６８と、を有している。第１〜第４Ｏリング６５〜６８は、それぞれゴム状の弾性体、例えばシリコンゴム等で形成されている。
【００２３】
ブロック体５６は、例えば合成樹脂材料によってチューブ状に形成されている。ブロック体５６は、内部に複数（２個）の流路を有している。第１流路７１には、水等の液体を流すことができる。第２流路７２には、空気等の気体を流すことができる。ブロック体５６は、第１口金５７および第２口金５８と一体的に成形されている。すなわち、ブロック体５６は、第１口金５７および第２口金５８をインサートとするインサート成形により形成されている。
【００２４】
第１口金５７は、金属材料によって、全体として複数の段部を有する断面円形の筒状に形成されている。第１口金５７は、第１流路７１と連通している。第１口金５７の内側の管路には、例えば液体（水等）の流体を流すことができる。第１口金５７は、ブロック体５６に埋め込まれた第１埋設部７３と、第１埋設部７３が設けられる端部とは反対側の端部に設けられる第１係合部７４と、第１埋設部７３と第１係合部７４との間の位置に設けられる第１当接部７５と、第１埋設部７３と第１当接部７５の間に位置する第１段部７６と、を有している。
【００２５】
第１当接部７５は、後述する第１嵌合部７７（第１嵌合部本体７７Ａ）と当接することができる。第１当接部７５には、第１Ｏリング６５を収納するための第１凹部７５Ａが設けられる。第１係合部７４は、いわゆる雄ねじで構成されている。第１係合部７４の直径は、第１当接部７５の直径よりも小さくなっている。第１Ｏリング６５は、第１嵌合部７７と第１当接部７５との間の隙間を密封することができる。
【００２６】
第２口金５８は、第１口金５７と共通部品で構成されている。すなわち、第２口金５８は、第１口金５７と同じ材料で同じ形状に形成されている。第２口金５８は、第１口金５７と一定の間隔を空けて設置されている。第２口金５８は、第２流路７２と連通している。第２口金５８の内側の管路には、例えば気体（空気等）の流体を流すことができる。第２口金５８は、ブロック体５６に埋め込まれた第２埋設部８１と、第２埋設部８１が設けられる端部とは反対側の端部に設けられる第２係合部８２と、第２埋設部８１と第２係合部８２との間の位置に設けられる第２当接部８３と、第２埋設部８１と第２当接部８３の間に位置する第２段部８４と、を有している。
【００２７】
第２当接部８３は、後述する第２固定部材６４の穴部８５と当接することができる。第２当接部８３は、第２Ｏリング６６を収納するための第２凹部８３Ａを有する。第２段部８４は、若干の隙間を保持して第２嵌合部８６（第２嵌合部本体８６Ａ）内に嵌ることができ、第２嵌合部８６と嵌合することで台座６１の位置を大まかに決めることができる。これによって、第２嵌合部８６の中心軸Ｃ２´を第２口金５８の中心軸Ｃ２に対して大まかに合致させることができる。第２Ｏリング６６は、第２当接部８３と第２固定部材６４の第２基部９５（延長部９６）との間の隙間を密封することができる。
【００２８】
ケース６２は、例えば合成樹脂材料によって形成され、ユニバーサルコード２６の制御装置１３側の端部（第１コネクタ部３２）の外殻を構成している。台座６１は、金属材料によって形成されている。台座６１の一部をなしている差込部６１Ａは、ブロック体５６の端面に設けられた凹部５６Ａの内側に嵌ることができる。台座６１は、例えば接着剤等によってケース６２に固定されている。台座６１は、例えばインサート成形等によってケース６２と一体的に設けられていてもよい。ケース６２に対する台座６１の固定は、台座６１にブロック体５６等を固定する前に予めなされている。
【００２９】
台座６１は、外装部材本体９１と、外装部材本体９１を厚み方向に貫通する第１貫通孔を構成する第１嵌合部７７と、外装部材本体９１から外界に向けて突出する第１筒部９２と、第１嵌合部７７に設けられ第１筒部９２の内側に設けられる第１収納部７７Ｂと、外装部材本体９１を厚み方向に貫通する第２貫通孔を構成する第２嵌合部８６と、第２嵌合部８６に設けられる第２収納部８６Ｂと、を有している。
【００３０】
第１嵌合部７７は、第１嵌合部本体７７Ａを有している。第１嵌合部本体７７Ａは、第１口金５７の第１当接部７５の外側にきっちりと嵌合できるように、第１当接部７５の直径と略同じ直径に形成されている。第１嵌合部７７（第１嵌合部本体７７Ａ）が第１当接部７５に嵌合することによって、第１嵌合部７７の中心軸Ｃ１´を第１口金５７の中心軸Ｃ１と合致させることができる。第１嵌合部本体７７Ａの内側には、円柱形の空洞が形成されている。さらに、第１嵌合部７７が第１当接部７５と嵌合することによって、第１Ｏリング６５は、第１嵌合部７７と第１当接部７５との間の隙間を密封する。
【００３１】
第１収納部７７Ｂは、第１筒部９２の内側で外装部材本体９１の外界側の表面よりも内側に窪んで設けられている。第１収納部７７Ｂは、第１嵌合部本体７７Ａと連続的に設けられる。第１収納部７７Ｂは、円柱形の空洞状に設けられており、第１嵌合部本体７７Ａよりも大きい直径を有している。第１収納部７７Ｂは、第１固定部材６３の第１基部９３を収納できる。
【００３２】
第２嵌合部８６は、第２嵌合部本体８６Ａ（第２貫通孔）を有している。第２嵌合部本体８６Ａは、第２口金５８の第２当接部８３の直径よりも大きい直径で、且つ第２口金５８の第２段部８４および後述する第２固定部材６４の延長部９６の直径よりもわずかに大きい直径で形成されている。第２嵌合部本体８６Ａの内側には、円柱形の空洞（第２貫通孔）が形成されている。第２嵌合部本体８６Ａに第２口金５８が嵌った状態において、第２嵌合部本体８６Ａと第２当接部８３との間には隙間が保持される。また、第２嵌合部本体８６Ａと第２段部８４（延長部９６）との間にも、微小な隙間が保持される。
【００３３】
第２収納部８６Ｂは、円柱形の空洞状に設けられており、第２嵌合部本体８６Ａよりも大きい直径を有している。第２収納部８６Ｂは、第２嵌合部本体８６Ａと連続的に設けられる。第２収納部８６Ｂは、第２固定部材６４の第２基部９５を収納できる。
【００３４】
第１固定部材６３は、第１嵌合部７７の第１収納部７７Ｂに対して第１口金５７とは反対側から挿入される。第１固定部材６３は、金属材料により形成されている。第１固定部材６３は、第１基部９３と、第１基部９３に設けられ第１口金５７の第１係合部７４と係合する第３係合部９４と、第１基部９３から台座６１がある方向とは反対方向に向けて突出した第１プラグ５４と、を有する。第１基部９３には、第３Ｏリング６７を収納するための第３凹部９３Ａが設けられる。第１基部９３は、第１収納部７７Ｂの内側に嵌ることができる。第３係合部９４は、第１係合部７４と係合できる雌ねじで構成されている。第３係合部９４と第１係合部７４との間には、例えば接着剤が介在されており、第１係合部７４に対して第３係合部９４が緩むことが防止される。
【００３５】
第３Ｏリング６７は、第１筒部９２（第１収納部７７Ｂ）と第１基部９３との間の隙間を密封することができる。第１固定部材６３は、第１収納部７７Ｂに第１基部９３が嵌った状態において、ブロック体５６と台座６１とを固定することができる。すなわち、台座６１は、第１固定部材６３とブロック体５６（第１口金５７）との間に挟まれて保持される。
【００３６】
第２固定部材６４は、第２嵌合部８６の第２収納部８６Ｂに対して第２口金５８とは反対側から挿入される。第２固定部材６４は、金属材料により形成されている。第２固定部材６４は、第２基部９５と、第２基部９５からブロック体５６のある方向に向けてリング状に突出した延長部９６と、第２基部９５に設けられ第２口金５８の第２係合部８２と係合する第４係合部９７と、第２基部９５および延長部９６の内側に設けられた穴部８５と、第２基部９５から台座６１がある方向とは反対方向に向けて突出した第２プラグ５５と、を有する。第２基部９５は、第２収納部８６Ｂの内側に嵌ることができる。第４係合部９７は、第２係合部８２と係合できる雌ねじで構成されている。第４係合部９７と第２係合部８２との間には、例えば接着剤が介在されており、第２係合部８２に対して第４係合部９７が緩むことが防止される。
【００３７】
第２基部９５には、第４Ｏリング６８を収納するための第４凹部９５Ａが設けられる。第４Ｏリング６８は、第２収納部８６Ｂと第２基部９５との間の隙間を密封することができる。
【００３８】
穴部８５は、第２口金５８の第２当接部８３の直径と略同じ直径を有する。穴部８５の内側には、第２当接部８３をきっちりと嵌合させることができる。このため、第２固定部材６４の中心軸Ｃ２´´は、第２口金５８の中心軸Ｃ２に対して精度よく合致する。延長部９６は、若干の隙間を保持して第２嵌合部本体８６Ａ内に嵌ることができる。第２嵌合部本体８６Ａに対して、延長部９６および第２口金５８の第２段部８４が嵌合することで、台座６１の位置を大まかに決めることができる。これによって、第２嵌合部８６の中心軸Ｃ２´を第２口金５８の中心軸Ｃ２に大まかに合致させることができる。さらに、第２固定部材６４が第２当接部８３と嵌合することによって、第２Ｏリング６６は、第２固定部材６４と第２当接部８３との間の隙間を密封する。
【００３９】
第２固定部材６４は、第２収納部８６Ｂに第２基部９５が嵌った状態において、ブロック体５６と台座６１とを固定することができる。すなわち、台座６１は、第２固定部材６４とブロック体５６（第２口金５８）との間に挟まれて保持される。
【００４０】
続いて、本実施形態の第１コネクタ部３２の組立方法（手順）について説明する。台座６１は、ケース６２に対して接着剤等で予め固定されている。一方、第１口金５７、および第２口金５８は、インサート成形等によって予めブロック体５６と一体化されている。
【００４１】
まず、台座６１に対して、ユニバーサルコード２６の内側からブロック体５６、第１口金５７、および第２口金５８を固定する。台座６１の第１嵌合部本体７７Ａに対しては第１口金５７を差し込み、第２嵌合部本体８６Ａに対しては第２口金５８を差し込む。これによって、台座６１に対してブロック体５６を仮固定することができる。
【００４２】
この仮固定では、第１嵌合部本体７７Ａの直径に対して第１口金５７の第１当接部７５の直径が略同じであるが、第２嵌合部本体８６Ａの直径に対して第２口金５８の第２当接部８３および第２段部８４の直径が小さくなっているため、第１口金５７および第２口金５８を差し込む際にこれらが第１嵌合部７７および第２嵌合部８６の途中で引っ掛かってしまうことがない。このため、台座６１に対して第１口金５７および第２口金５８を比較的小さな力で容易に差し込むことができる。さらに、第１口金５７の第１当接部７５が第１嵌合部７７の第１貫通孔７７Ａに嵌合することで、第１Ｏリング６５は第１当接部７５と第１貫通孔７７Ａとの隙間を密封し、水密を確保することができる。
【００４３】
続いて、第２収納部８６Ｂに第２固定部材６４を差し込んで、第２固定部材６４を時計回り方向に回転させて、第２固定部材６４の第４係合部９７を第２口金５８の第２係合部８２に対して係合させる。このとき、第２固定部材６４の延長部９６は、台座６１の第２嵌合部本体８６Ａとゆるく嵌合することができる。これによって、第２口金５８の中心軸Ｃ２に対して第２嵌合部８６の中心軸Ｃ２´を大まかに位置合わせできる。一方、第２固定部材６４の穴部８５は、第２口金５８の第２当接部８３の外側にきっちりと嵌ることができる。これによって、第２固定部材６４の中心軸Ｃ２´´の位置を第２口金５８の中心軸Ｃ２に合致させることができる。
【００４４】
第２固定部材６４を第２口金５８の第２係合部８２に締結すると、台座６１をブロック体５６（第２口金５８）と第２固定部材６４との間に挟み込んで保持することができる。さらに、第２固定部材６４の穴部８５が第２口金５８の第２当接部８３に嵌合することで、第２Ｏリング６６は穴部８５と第２当接部８３との隙間を密封し、水密を確保することができる。
【００４５】
さらに、第１収納部７７Ｂに第１固定部材６３を差し込んで、第１固定部材６３を時計回り方向に回転させることで、第１口金５７の第１係合部７４に第１固定部材６３の第３係合部９４を係合させる。このとき、すでに台座６１の第１嵌合部７７の中心軸Ｃ１´が第１口金５７の中心軸Ｃ１に対して合致されているため、第１固定部材６３の締結作業を容易に行うことができる。これによって、ブロック体５６（第１口金５７）と第１固定部材６３との間に台座６１が挟まれて保持される。また、第１固定部材６３の中心軸Ｃ１´´は、第１口金５７の中心軸Ｃ１に対して合致される。以上により、第１コネクタ部３２の組み立て作業が完了する。
【００４６】
逆に、台座６１からブロック体５６を取り外す場合には、台座６１から第１固定部材６３および第２固定部材６４を取り外すことで、簡単にブロック体５６を取り外すことができる。このため、本実施形態によれば、第１コネクタ部３２のメンテナンス性は良好である。
【００４７】
第１実施形態によれば、内視鏡１２は、流体を流すための第１流路７１及び第２流路７２が内部に形成されたブロック体５６と、第１流路７１と連通するようにブロック体５６に固定された第１口金５７と、第２流路７２と連通するようにブロック体５６に固定された第２口金５８と、ブロック体５６を覆った台座６１と、台座６１を貫通する第１貫通孔を構成するとともに、第１口金５７と嵌合する第１嵌合部７７と、台座６１を貫通する第２貫通孔を構成するとともに、第２口金５８との間に隙間を有して第２口金５８と嵌合する第２嵌合部８６と、第１嵌合部７７に対して第１口金５７とは反対側から挿入されるとともに、第１口金５７と係合してブロック体５６と台座６１とを固定する第１固定部材６３と、第２嵌合部８６に対して第２口金５８とは反対側から挿入されるとともに、第２口金５８と係合してブロック体５６と台座６１とを固定する第２固定部材６４と、を備える。
【００４８】
一般に、一つの外装部材に対して２個の棒状部材を貫通的に配置させるには、台座６１に設けた２個の貫通孔の寸法公差をそれぞれ厳しく設定すると、棒状部材の取り付け位置および取付け角度のばらつきに起因して、外装部材に対して２個の棒状部材がうまく嵌らない事態を生じる。一方、２個の貫通孔の寸法公差を緩く設定すると、２個の棒状部材の差し込みを容易に行うことができるが、外装部材に対して２個の棒状部材の位置が決まらない問題がある。
【００４９】
上記の構成によれば、第１嵌合部７７は第１口金５７と嵌合し、第２嵌合部８６は第２口金５８との間に隙間を有して第２口金５８と嵌合する。したがって、第１嵌合部７７および第２嵌合部８６の両方で同時に嵌合が行われることがなく、第１口金５７および第２口金５８の取り付け位置および取付け角度にばらつきがある場合であっても、台座６１に対してブロック体５６の取付けが困難となることがない。これによって、第１嵌合部７７および第２嵌合部８６に対する第１口金５７および第２口金５８の取付けを小さな力で容易に行うことができる。また、本実施形態では、第２嵌合部８６側では厳密な位置決めを行わないようにしているため、第１嵌合部７７−第２嵌合部８６間の寸法として許容される寸法公差の基準、および第１口金５７−第２口金５８間の寸法として許容される寸法公差の基準を緩和できる。これによって、台座６１およびブロック体５６の歩留まりを低くして部品原価を低減して、内視鏡１２の製造コストを低減できる。さらに、上記構成によれば、台座６１に対して第１口金５７および第２口金５８が直接的に取り付けられるため、第１口金５７および第２口金５８の取り付け位置の精度が比較的良好な内視鏡１２を提供できる。さらに、第１固定部材６３および第２固定部材６４を用いた簡単な構造でブロック体５６を台座６１に固定できるため、固定構造を簡略化することができ、組み立て時の作業を簡略化できるとともに内視鏡１２の防水性を向上できる。
【００５０】
この場合、第１口金５７は、第１嵌合部７７と当接する第１当接部７５を有し、当該第１当接部７５は、第１嵌合部７７の直径と略同じ直径を有する。この構成によれば、第１当接部７５によって第１口金５７に対して第１嵌合部７７の位置を精度よく決めることができる。
【００５１】
この場合、第２固定部材６４には、第２口金５８を収納可能な穴部８５が設けられ、第２口金５８は、穴部８５と当接する第２当接部８３を有し、当該第２当接部８３は、穴部８５の直径と略同じ直径を有する。この構成によれば、第２当接部８３によって、第２口金５８に対して第２固定部材６４の位置を精度よく決めることができる。
【００５２】
台座６１中の第２嵌合部８６の周囲に位置する部分は、第２口金５８と第２固定部材６４との間に挟まれて位置が保持される。この構成によれば、上記のように第２嵌合部８６において厳密な位置決めを行わない場合でも、第２口金５８および第２固定部材６４で第２嵌合部８６を挟み込む構造を採用することで、台座６１に対する第２口金５８及び第２固定部材６４のぐらつきを実用上問題ないレベルに低減できる。
【００５３】
第１口金５７は、前記第２口金５８と同じ形状を有する。この構成によれば、第１口金５７および第２口金５８を共通部品で構成することができ、部品原価を低減して低コスト化を図ることができる。
【００５４】
第１口金５７および第２口金５８は、金属材料で形成され、ブロック体５６は、樹脂材料により第１口金５７および第２口金５８と一体的に成形される。この構成によれば、ブロック体５６に対して予め第１口金５７および第２口金５８を固定することができ、組み立て時の作業をさらに簡略化することができる。
【００５５】
ブロック体５６は、第１口金５７および第２口金５８をインサートとするインサート成形で成形される。この構成によれば、第１口金５７および第２口金５８の取付け位置の精度を向上することができる。これによって、第１口金５７および第２口金５８の取り付け位置および取付け角度のばらつきを低減して、内視鏡１２の水密性を向上できるとともに台座６１に対して第１口金５７および第２口金５８を固定する際の作業性を向上できる。
【００５６】
台座６１は、ケース６２に予め固定される。この構成によれば、組み立て時に作業者の工数を少なくして、組み立て作業を簡略化することができる。
【００５７】
本発明は、上述した実施の形態に限定されるものではない。本発明は、その要旨を逸脱しない範囲で適宜変形実施することができる。
【符号の説明】
【００５８】
１２…内視鏡、５６…ブロック体、５７…第１口金、５８…第２口金、６１…外装部材、６２…ケース、６３…第１固定部材、６４…第２固定部材、７５…第１当接部、７７…第１嵌合部、８３…第２当接部、８５…穴部、８６…第２嵌合部。
【図１】
0006379023.tif 000002
【図２】
0006379023.tif 000003
【図３】
0006379023.tif 000004
【図４】
0006379023.tif 000005
【図５】
0006379023.tif 000006